(57)【要約】【課題】  限られたデータ記憶容量しか持たない機器のユーザがデータ容量を気にすることなくデータの作成等を行うことができるようにすること。【解決手段】  プロバイダ１０のサーバのＣＰＵ１１は、通信制御部１９によりモバイル端末５０からＰＨＳ基地局３０及び通信回線２０を介したデータを受信した場合に、その送信元が何処なのかを判別して、受信データをその送信元別に分類して記憶装置１５に記憶保存する。また、記憶装置１５には、各送信元別に、上記記憶保存されたデータを送信可能な送信先が予め登録されており、モバイル端末５０あるいはＰＣ４０からデータ送信要求を受信した場合には、その要求元が上記予め登録された送信先であるかどうか判断し、予め登録された送信先であれば、その送信先に対応する送信元の上記記憶装置１５に記憶されたデータを、通信制御部１９によって上記要求元に対して送信する。【選択図】      図１
2006050642.tif 000002
【特許請求の範囲】
【請求項１】
各種端末とはネットワークを介して接続されるデータ送受信装置であって、
複数の位置名称を位置情報と対応付けて記憶する位置名称記憶手段と、
データ送信元の端末より上記ネットワークを介して画像データを受信した際は、その送信元の端末の位置を判別し、その判別された位置の位置情報に対応する位置名称を上記位置名称記憶手段より検索して特定する特定手段と、
上記受信した画像データを保存する際は、当該画像データに対して、上記特定手段によって特定した位置名称を付与して保存する保存手段と、
データ要求元の端末より上記ネットワークを介して上記保存済みの画像データの送信要求を受けた際は、当該画像データと、その画像データに対して付与された上記位置名称と、を上記データ要求元の端末に対して送信する送信手段と、を具備したことを特徴とするデータ送受信装置。
【請求項２】
コンピュータに、
複数の位置名称を位置情報と対応付けて記憶させる機能と、
データ送信元の端末よりネットワークを介して画像データを受信した際は、その送信元の端末の位置を判別し、その判別された位置の位置情報に対応する位置名称を検索して特定させる機能と、
上記受信した画像データを保存する際は、当該画像データに対して、上記特定された位置名称を付与して保存させる機能と、
データ要求元の端末より上記ネットワークを介して上記保存済みの画像データの送信要求を受けた際は、当該画像データと、その画像データに対して付与された上記位置名称と、を上記データ要求元の端末に対して送信させる機能と、
を実行させるためのプログラムを記録したコンピュータ読み取り可能な記録媒体。
【発明の詳細な説明】
【技術分野】
【０００１】
本発明は、データの送受信を行うデータ送受信装置、及びコンピュータをそのようなデータ送受信装置として動作させるためのプログラムを格納した記録媒体に関する。
【背景技術】
【０００２】
近年、小型な携帯型情報機器としてモバイル端末が利用されるようになってきている。これは、ユーザの予定管理機能や、テキストエディタ機能等を備え、ユーザが作成した各種データを保存記憶しておくことができるものである。
【０００３】
また、ＰＨＳ電話機との接続機能あるいはＰＨＳ電話機機能そのものを備え、いわゆるインターネットやパソコン通信によって各種情報をダウンロードすることが可能なものも知られている。さらには、ディジタルカメラとの接続機能あるいはディジタルカメラ機能そのものを組み込んだものもある。
【発明の開示】
【発明が解決しようとする課題】
【０００４】
しかしながら、上記のようなモバイル端末は、一般に、データ記憶容量が少なく、多量のデータを保存することは不可能であった。そのため、ダウンロードした情報やディジタルカメラで撮影した画像データを保存する際に、ユーザは空き記憶容量に注意を払わなければ成らず、空き容量が足りない場合には、何れか別のデータを削除する必要があった。従って、後でまた利用するような削除することができないデータしかない場合には、新しいデータの保存が不可能であった。
【０００５】
本発明の課題は、モバイル端末等の限られたデータ記憶容量しか持たない機器のユーザがデータ容量を気にすることなくデータの作成等を行うことができるようにすることである。
【課題を解決するための手段】
【０００６】
本発明は、各種端末とはネットワークを介して接続されるデータ送受信装置であって、複数の位置名称を位置情報と対応付けて記憶する位置名称記憶手段と、データ送信元の端末より上記ネットワークを介して画像データを受信した際は、その送信元の端末の位置を判別し、その判別された位置の位置情報に対応する位置名称を上記位置名称記憶手段より検索して特定する特定手段と、上記受信した画像データを保存する際は、当該画像データに対して、上記特定手段によって特定した位置名称を付与して保存する保存手段と、データ要求元の端末より上記ネットワークを介して上記保存済みの画像データの送信要求を受けた際は、当該画像データと、その画像データに対して付与された上記位置名称と、を上記データ要求元の端末に対して送信する送信手段と、を具備したことを特徴とする。
【発明の効果】
【０００７】
本発明によれば、送信元の端末より画像データをデータ送受信装置に送信した際は、そのデータ送受信装置側では上記送信元の位置を判別してその位置対応の位置名称を当該画像データに対して自動付与して保存するようにしたので、後でその保存された画画像データを任意の端末が要求してダウンロードした際は、その画像データに付与された位置名称を参照することでその画像データが送信された際の位置を直ちに確認することができる。
【発明を実施するための最良の形態】
【０００８】
以下、本発明の実施の形態を、図１の（Ａ）乃至図６を参照して説明する。
［第１の実施の形態］
図１の（Ａ）は、本発明の第１の実施の形態にかかるデータ送受信装置の適用された通信ネットワークシステムのブロック構成図であり、本実施の形態のデータ送受信装置は、例えばインターネット接続業者であるいわゆるプロバイダ１０のサーバとして構成されているものである。
【０００９】
このプロバイダ１０は、通信回線２０を介してＰＨＳ基地局３０やパーソナルコンピュータ（ＰＣ）４０と接続される。ＰＨＳ基地局３０は、ＰＨＳ電話機機能及びディジタルカメラ機能を持ったモバイル端末５０と通信回線２０との間のデータ通信を仲介する。
【００１０】
図１の（Ｂ）は上記プロバイダ１０のサーバの構成を示す図で、図中の参照番号１１は、当該サーバ全体を制御する制御部としてのＣＰＵである。１２はキーボードやマウス等の入力装置、１３はＣＲＴ等の表示装置であり、１４はプリンタ等の印刷装置である。また、１５はハードディスクやＲＯＭ等の記憶装置であり、１６はＲＡＭである。
【００１１】
また、参照番号１７は装着されたフロッピー(登録商標)ディスクや光（磁気）ディスク等の記憶媒体１８に対するデータの記憶及び読み出しを制御する記憶媒体制御部であり、１９は上記通信回線２０を介して外部とデータの送受を行う通信制御部である。
【００１２】
なお、上記記憶装置１５もしくは記憶媒体１８は、データ送受信装置として動作させるための上記ＣＰＵ１１で実行される処理プログラムやデータ等が予め記憶されているものであるが、もちろん、このような記憶装置１５もしくは記憶媒体１８に記憶するプログラムやデータ等は、通信制御部１９により、通信回線２０等を介して接続された他の機器から受信して（例えばＲＡＭ１６に設けた図示しないワークメモリに）記憶する構成にしてもよく、さらに、通信回線２０等を介して接続された他の機器側に記憶装置や記憶媒体を設け、そこに記憶されているプログラム、データを通信回線２０を介して使用する構成にしてもよい。
【００１３】
また、本実施の形態においては、記憶装置１５には、図２の（Ａ）に示すように、ユーザ別即ち送信元別にフォルダ１５Ａが設けられ、各送信元別フォルダ１５Ａには、画像データを記憶するための画像フォルダ１５Ａ１とその他のデータを記憶するためのその他フォルダ１５Ａ２とが設けられている。画像フォルダ１５Ａ１には、実際の画像データとそのインデックスデータとが対応付けて記憶され、同様に、その他フォルダ１５Ａ２には、画像データ以外のデータとそのインデックスデータとが対応付けて記憶される。
【００１４】
さらに、この記憶装置１５には、図２の（Ｂ）に示すような登録テーブル１５Ｂと地名テーブル１５Ｃも記憶されている。
ここで、登録テーブル１５Ｂは、登録アドレスと許可アドレスとを対応させて記憶するものであり、それぞれＰＣ４０やモバイル端末５０又はユーザに割り振られたアドレスデータを記憶する。登録アドレスには、送信元としてのアドレスが格納されるものであり、許可アドレスには、対応する登録アドレス１５Ｂ１で示されるＰＣ４０やモバイル端末５０又はユーザから受信したデータを送信しても良いＰＣ４０やモバイル端末５０又はユーザのアドレスが登録されるようになっている。
【００１５】
例えば、モバイル端末５０のユーザがそのモバイル端末５０で作成したデータをそのユーザの自宅のＰＣ４０に送れるようにするためには、登録アドレスに自己のモバイル端末５０又はユーザのアドレスを、許可アドレスに自己のＰＣ４０やユーザのアドレスを格納しておくことが必要である。また、会社や取引先、友人等の他者ＰＣ４０に送信できるようにするためには、それら他者ＰＣ４０のアドレスを許可アドレスに格納しておくことが必要である。これら登録アドレス及び許可アドレスへのアドレス格納は、例えば、それぞれのアドレスを特定してユーザがプロバイダ１０にこのサービスを申し込むことでなされる。なお、一つの登録アドレスに複数の許可アドレスを対応付けることが許されることはもちろんである。
【００１６】
また、地名テーブル１５Ｃは、位置情報と地名とを対応付けて記憶しているものである。即ち、位置情報は、ＰＨＳ基地局３０のアドレスを記憶しているものであり、地名は対応するアドレスを有するＰＨＳ基地局がどこにあるか、つまりその所在地名や住所、施設名等を記憶している。
【００１７】
次に、このような構成における動作を説明する。
図３は、本第１の実施の形態にかかるデータ送受信装置の適用されたプロバイダ１０のサーバにおけるデータ受信時の動作を説明するフローチャートである。このフローチャートに記載した各機能を実現するプログラムは、ＣＰＵ１１が読み取り可能なプログラムコードの形態で上記記憶装置１５もしくは記憶媒体１８に記憶されている。
【００１８】
まず、通信制御部１９によりモバイル端末５０からデータを受信すると、ＣＰＵ１１は、そのデータ送信元のアドレスをチェックする（ステップＳ１１）。そして、登録テーブル１５Ｂにより、その送信元アドレスが登録アドレスとして記憶されているかどうか判別し（ステップＳ１２）、無ければそのデータ受信を拒否する旨の通知を通信制御部１９よりデータ送信元に返して（ステップＳ１３）、このデータ受信動作を終了する。
【００１９】
これに対して、送信元アドレスに合致する登録アドレスが有れば、ＣＰＵ１１は次に、記憶装置１５に設けられた複数の送信元別フォルダ１５Ａの中から送信元に対応するフォルダを特定する（ステップＳ１４）。また、送信元の位置つまり通信に使用されているＰＨＳ基地局３０を判別し（ステップＳ１５）、地名テーブル１５Ｃを参照して地名（施設名）を検索する（ステップＳ１６）。その後、受信したデータのデータ種を判別し（ステップＳ１７）、それが画像データであれば（ステップＳ１８）、上記特定した送信元フォルダ１５の画像フォルダ１５Ａ１を特定し（ステップＳ１９）、また画像データでなければその他フォルダ１５Ａ２を特定する（ステップＳ２０）。
【００２０】
そして、その特定されたフォルダ１５Ａ１又は１５Ａ２に、データ種や地名、日時等をインデックスとして上記受信データを記憶し（ステップＳ２１）、通信制御部１９によって保存完了を送信元のモバイル端末５０に通知して（ステップＳ２２）、このデータ受信動作を終了する。
【００２１】
図４は、こうして保存したデータの送信要求を受けた場合のデータ送信動作のフローチャートである。
即ち、通信制御部１９により、ＰＣ４０又はモバイル端末５０からデータ送信要求を受信すると、ＣＰＵ１１は、まずその要求元アドレスをチェックして（ステップＳ３１）、その要求元アドレスに合致する許可アドレスを登録テーブル１５Ｂから検索する（ステップＳ３２）。そして、合致するアドレスが無い場合、即ち要求元が許可されたものでないときには（ステップＳ３３）、通信制御部１９によりデータ送信拒否を上記要求元に通知して（ステップＳ３４）、このデータ送信動作を終了する。
【００２２】
一方、要求元が許可されたものであれば、ＣＰＵ１１は、次に、登録テーブル１５Ｂを参照して対応する登録アドレスより送信元別フォルダ１５Ａを特定して（ステップＳ３５）、そこに保存されたデータを要求元に送信することとなるが、本実施の形態では、無条件に送信するのではなく、パスワードチェックを行うことでセキュリティを高めている。即ち、ＣＰＵ１１は、通信制御部１９により上記要求元からパスワードを受信し（ステップＳ３６）、正規のパスワードが与えられなかったときには（ステップＳ３７）、上記ステップＳ３４に進んで、データ送信拒否を通知する。
【００２３】
パスワードチェックでＯＫであれば、上記特定したフォルダ１５Ａ内に保存されているデータのリストを通信制御部１９により上記要求元へ送信して（ステップＳ３８）、要求元からの選択指示待ちとなる（ステップＳ３９）。そして、選択指示を受信したならば、その選択データつまり画像データ又はその他のデータそれ自体と対応するインデックスとを通信制御部１９により上記要求元へ送信して（（ステップＳ４０）、このデータ送信動作を終了する。
【００２４】
以上のように、本第１の実施の形態によれば、モバイル端末５０等の限られたデータ記憶容量しか持たない情報機器のユーザは、データ送受信装置としてのプロバイダ１０のサーバを一時保管場所として利用できるので、データ容量を気にすることなく画像データの作成つまり撮影やインターネットからのデータのダウンロード等を行うことができるようになる。また、サーバ側で、位置名称等を自動的に付すようにしているので、後でそのデータをＰＣ４０やモバイル端末５０でダウンロードしたときに、そのデータがどこで作成されたものであるのか直ちに知ることができる。
【００２５】
［第２の実施の形態］
次に、本発明の第２の実施の形態を説明する。
本第２の実施の形態においては、モバイル端末５０は、ＰＨＳ電話機機能を持ったディジタルカメラであり、これがデータ送受信装置として動作するものである。本実施の形態のデータ送受信装置としてのＰＨＳ機能付ディジタルカメラの構成は、従来と特に変わりが無いのでその説明は省略する。唯一の変更点は、後述するような動作を行うための内蔵メモリに記憶された又は読み込まれたプログラムが実行されるということだけである。
【００２６】
図５の（Ａ）は本実施の形態のデータ送受信装置としてのＰＨＳ機能付ディジタルカメラの図示しない内蔵ＣＰＵで実行されるアップロード動作のフローチャートであり、（Ｂ）はそのときのプロバイダ１０のサーバの動作フローチャートである。
【００２７】
即ち、データ送受信装置としてのＰＨＳ機能付ディジタルカメラのＣＰＵは、周知の画像撮影動作を行い（ステップＳ５１）、得られた画像データを図示しない記憶媒体に記憶すると共に、撮影日時等のインデックスを付加する（ステップＳ５２）。ここで、ＣＰＵは、画像データ数が１０枚を超えたかどうか判別し（ステップＳ５３）、まだ超えていなければ上記ステップＳ５１に戻って、さらなる撮影を可能とする。
【００２８】
これに対して、撮影した画像データ数が１０枚を超えると、ＣＰＵは、ＰＨＳ電話機機能により、契約プロバイダにデータ送信要求を送信する（ステップＳ５４）。
【００２９】
その後、画像データを送信すると共に（ステップＳ５５）、その画像データを縮小したインデックス画像を生成し（ステップＳ５６）、このインデックス画像と上記送信した画像データのインデックスとを対応付けて記憶媒体に記憶する（ステップＳ５７）。そして、送信済みの画像データを削除する（ステップＳ５８）。
【００３０】
ここで、記憶媒体に記憶された全画像データの送信が終了したかどうか判断し（ステップＳ５９）、まだであれば次の画像データを指定して（ステップＳ６０）、上記ステップＳ５５に戻る。そして、全ての画像データが送信されたならば、送信終了をプロバイダ側に通知して（ステップＳ６１）、このアップロード動作を終了する。
【００３１】
プロバイダ１０のサーバは、上記ステップと５４におけるデータ送信要求を受信すると（ステップＳ７１）、上記第１の実施の形態で説明したようにして送信元アドレスから対応する送信元別フォルダ１５Ａを特定して（ステップＳ７２）、そこに上記ステップＳ５５で送信された画像データを、それと一緒に送られてくるインデックス、あるいは上記第１の実施の形態で説明したように自動的に生成したインデックスと共に保管する（ステップＳ７３）。そして、上記ステップＳ６１での送信終了通知が与えられるまで（ステップＳ７４）、受信画像データの保管処理を繰り返し行う。
【００３２】
こうしてプロバイダ１０のサーバに保管された画像データのダウンロードは、図６に示すようにして行われる。
即ち、データ送受信装置としてのＰＨＳ機能付ディジタルカメラのＣＰＵは、上記ステップと５７において記憶したインデックス画像を記憶媒体から読み出して、ＬＣＤ等の図示しない表示部に表示する（ステップＳ８１）。このインデックス画像を元にユーザが所定の画像選択操作を行うと（ステップＳ８２）、その選択されたインデックス画像に対応するインデックスを特定して（ステップＳ８３）、契約プロバイダにダウンロード要求を送信する（ステップＳ８４）。
【００３３】
そして、このダウンロード要求に応じて上記インデックスに対応する画像データが送信されてきたならばそれを受信し（ステップＳ８５）、それを記憶媒体に記憶して（ステップＳ８６）、このダウンロード動作を終了する。
【００３４】
以上のように、本第２の実施の形態によれば、モバイル端末等の限られたデータ記憶容量しか持たない情報機器のユーザは、予め決められた所定の装置を一時保管場所として利用できるので、画像データ容量を気にすることなく撮影等を行うことができるようになる。しかも、撮影した画像データの送信先を一々指定する必要がないので、操作が簡単である。
【００３５】
なお、本第２の実施の形態では、１０枚画像を撮影する毎にアップロードを行うようにしているが、この枚数に限られるものではないことはもちろんである。また、撮影枚数に係わらず、例えば撮影した段階で直ちにアップロードするものであっても良いし、撮影がなされていないとき即ちカメラ機能の電源がオフされているとき等の所定の状態にある際にアップロードするようにしても良い。以下、図１〜図９を参照して本発明の一実施例を説明する。
【図面の簡単な説明】
【００３６】
【図１】（Ａ）は本発明の第１の実施の形態にかかるデータ送受信装置の適用された通信ネットワークシステムのブロック構成図であり、（Ｂ）は第１の実施の形態のデータ送受信装置としてのサーバのブロック構成図である。
【図２】（Ａ）乃至（Ｃ）はそれぞれ第１の実施の形態のデータ送受信装置としてのサーバの記憶装置に構成された送信元別フォルダ、登録テーブル、及び地名テーブルを説明するための図である。
【図３】第１の実施の形態のデータ送受信装置としてのサーバのデータ受信動作のフローチャートである。
【図４】第１の実施の形態のデータ送受信装置としてのサーバのデータ送信動作のフローチャートである。
【図５】（Ａ）は本発明の第２の実施の形態にかかるデータ送受信装置としてのモバイル端末のデータ送信動作のフローチャートであり、（Ｂ）はこのときのサーバ側の動作フローチャートである。
【図６】第２の実施の形態にかかるデータ送受信装置としてのモバイル端末のデータ受信動作のフローチャートである。
【符号の説明】
【００３７】
１０  プロバイダ
１１  ＣＰＵ
１２  入力装置
１３  表示装置
１４  印刷装置
１５  記憶装置
１５Ａ  送信元別フォルダ
１５Ａ１  画像フォルダ
１５Ａ２  その他フォルダ
１５Ｂ  登録テーブル
１５Ｃ  地名テーブル
１６  ＲＡＭ
１７  記憶媒体制御部
１８  記憶媒体
１９  通信制御部
２０  通信回線
３０  ＰＨＳ基地局
４０  パーソナルコンピュータ（ＰＣ）
５０  モバイル端末
【図１】
2006050642.tif 000003
【図２】
2006050642.tif 000004
【図３】
2006050642.tif 000005
【図４】
2006050642.tif 000006
【図５】
2006050642.tif 000007
【図６】
2006050642.tif 000008